(57)【要約】【課題】扉面や背面等から効率よく換気でき、かつ、効率よく冷気を導入可能な機器収納ラックを提供する。【解決手段】扉部３のフレーム部４枠内側には、パンチングボード５が嵌め込まれている。パンチングボード５は、山折り部５ａ、谷折り部５ｂが床面に対して垂直方向になるように波型状に折り曲げられている。パンチングボード５の材質として、ステンレス製板材（パンチングメタル）を用いている。板材には複数の円孔５ｃが穿けられており、その開口率は収納する機器の発熱量に応じて選定される。【選択図】図１
2006310382.tif 000002
【特許請求の範囲】
【請求項１】
少なくとも外板部の一面に、所定間隔で波型形状に折り曲げたパンチングボードを用いて成ることを特徴とする機器収納ラック。
【請求項２】
前記波型形状の折り曲げを床面に対して水平方向又は垂直方向に形成して成ることを特徴とする請求項１に記載の機器収納ラック。
【請求項３】
前記パンチングボードを通過する空気の抵抗が最小となるように、折り曲げ角度を設定して成ることを特徴とする請求項１又は２に記載の機器収納ラック。
【請求項４】
前記外板部の一面が扉面であり、前記パンチングボードが透明材質のボードであることを特徴とする請求項１乃至３に記載の機器収納ラック。
【発明の詳細な説明】
【技術分野】
【０００１】
本発明は、情報通信機器等を収納する機器収納ラックに関し、特に、ラック内の機器から発生する熱を効果的に排出可能な機器収納ラックに関する。
【背景技術】
【０００２】
情報処理技術及び通信技術の発達に伴って、サーバやルータ等の情報通信機器を室内に高集約化するケースが多くなり、その結果、これらの機器類を格納する室内は場所による空気の温度差が拡大し、高温部が生じやすくなる傾向にある。一方、これらの機器を構成する部品の動作許容温度は一般に室温程度であり、周囲空気がこれより高温になった場合、機器自身が保護制御により自動停止してサービスが継続できなくなったり、機器の構成部品が破壊されて故障に至るおそれがある。
【０００３】
このため、従来、通気性能を向上させるために、機器収納ラックには、その扉面や背面等にパンチングボード等を配して通気性を確保しているものがある。また、ラック内に収納した電子機器を複数のラック間にまたがって配線可能となるように、側面にケーブル挿通口が設けられているものが知られている（例えば、特許文献１参照）。この場合には、挿通口を通気口として兼用することになる。
【０００４】
しかしながら、パンチングボードは開口率が高々６０％程度であるため、ラック内に収納された情報通信機器からの発熱を外部に放出させるには限界があった。また、配線用のケーブル挿通口を通気口として兼用するものであっても、発熱量に対して通気性能が不十分であるという問題があった。
【特許文献１】特開２００３−２５８４５９号公報
【発明の開示】
【発明が解決しようとする課題】
【０００５】
本発明は、上記課題に鑑みてなされたものであって、ラックの扉面や背面等から効率よく換気でき、かつ、効率よく冷気を導入可能な機器収納ラックを提供することを目的とする。
【課題を解決するための手段】
【０００６】
上記課題を解決するために本発明に係る機器収納ラックは、
（１）少なくとも外板部の一面に、所定間隔で波型形状に折り曲げたパンチングボードを用いて成ることを特徴とする。
【０００７】
パンチングボード材質としては、例えばステンレス等の金属板材や不燃性ボード等を用いることができる。パンチングボードは、収納する機器の発熱量に応じて適切な開口率のものを選択することができる。この場合、セキュリティ上の見地からドライバー等の工具を用いたいたずらを防止するため、各孔の径は５ｍｍ以下とするのが一般的である。
【０００８】
（２）上記（１）において、波型形状の折り曲げを床面に対して水平方向又は垂直方向に形成して成ることを特徴とする。
（３）上記（１）又は（２）において、パンチングボードを通過する空気の抵抗が最小となるように、折り曲げ角度を設定して成ることを特徴とする。
波型部の折り曲げ角度（θ）については基本的に任意に定めることができるが、θの値により換気量が変化するため、最適の折り曲げ角度を選択することが望ましい。図３に示すように、折り曲げる前のパンチングボードの幅をＷ０、折り曲げた状態の幅をＷ１とすれば、Ｗ１＝Ｗ０／ｃｏｓθの式が成り立ち、この幅Ｗ１にボード高さを乗じ、さらにボード開口率を乗ずることにより、見かけの開口面積を求めることができる。０≦ｃｏｓθ≦１であるから、折り曲げ角度を大きくする（すなわち、折り曲げ回数を増やす）ほど、見かけの開口面積を増加させることができることになる。しかしながら、折り曲げ回数を増加するに従いパンチングボードの法線方向と気流の方向とのなす角度が大きくなり、気流が通りにくくなるため、かえって通気性は低下してしまう。従って、換気量が最大となるθmax を求め、このような折り曲げ角度を備えたパンチングボードを用いることが望ましい。
【０００９】
（４）上記（１）乃至（３）において、外板部の一面が扉面であり、パンチングボードが透明材質のボードであることを特徴とする。
硬度等の問題がクリアできればパンチングボードとして透明板に多数の小孔を設けたものを用いることもできる。扉面を透明にすることにより、通気性を確保しつつ従来のガラス面で構成されたものと同様に内部が視認することが可能となる。
【発明の効果】
【００１０】
本発明によれば、ラックの扉面や側面等を通気性の高い構造とすることにより、冷気をラック内に効率的に導入し、さらにラック内で発生する熱を外部へ排出することが可能となり、ラック内が高温になることを防止することができる。
【００１１】
また、ボードを波型形状に折り曲げることによって、通風部の強度を向上することが可能となる。
【発明を実施するための最良の形態】
【００１２】
以下、本発明に係る空調機温度制御方法の実施形態について、図１乃至６を参照してさらに詳細に説明する。重複を避けるため、各図において同一構成には同一符号を用いて示している。なお、本発明の範囲は特許請求の範囲記載のものであって、以下の実施形態に限定されないことはいうまでもない。
【００１３】
（第一の実施形態）
図１は、本実施形態に係る機器収納ラック１の全体構成を示す図である。図２は、機器収納ラック１の開扉状態を示す図である。図３は、図１における扉部３のＡ−Ａ'断面を示す図である。
【００１４】
図１、２を参照して、機器収納ラック１は直方体形状に構成した枠体９の上面部２、底面部１１、側面部７に金属板を取り付けた構造を備えている。機器収納ラック１の前面及び背面には、機器の出し入れを行うための扉３、１３がヒンジ（図示せず）により開閉可能に設けられている。扉部３は、フレーム部４と、通風部６によって構成されており、フレーム部４には、収納された機器のセキュリティ確保のために施錠装置１１が設けられている。ラック１内部には多段に構成した棚段１０が設けられており、各棚段には情報通信機器８が収納されている。
また、情報通信機器８は換気ファン（図示せず）を装備し、該収納ラック１の前面から冷却用の空気を吸って背面から排気する。これら情報通信機器８のファンにより、該収納ラック１全体としても同様に、前扉から冷却空気を吸い後扉より排気することとなる。
フレーム部４の枠内側にはパンチングボード５が嵌め込まれている。パンチングボード５は、山折り部５ａ、谷折り部５ｂが床面に対して垂直方向になるように、所定の間隔で波型状に折り曲げられている。本実施形態では、パンチングボード５の材質として、ステンレス製板材（パンチングメタル）を用いている。なお、図には示されないが、扉１３も同様の構成を備えている。
【００１５】
図３を参照して、パンチングボード板材には複数の円孔５ｃが穿けられており、その開口率は収納する機器の発熱量に応じて選定される。また、円孔径は５ｍｍ以下としている。波型部の折り曲げ角度θ＝４５度であり、扉面の有効面積は平板の場合と比較して１４１％となる。従って、パンチングボード５の開口率を６０％とすれば見かけの開口率は８５％となり、波型構造とすることにより通気抵抗が減少し、換気空気量が増加するため、結果として冷却性能が向上する。
なお、本実施形態では、波型形状に折り曲げたパンチングボードを嵌め込んだ扉を前後面に設け、情報通信機器のファンにより前扉から冷却空気を吸って、後扉より排気する形態としたが、これに限らず、前扉のみに上述のパンチングボードを嵌め込み、かつ、上面部に換気ファンを搭載したラックを用いて、前扉の通風部から冷却空気を吸い、上部へ排気する形態とすることもできる。この方式においても、上記と同様の効果が期待できる。
【００１６】
（第二の実施形態）
次に本発明の他の実施形態について説明する。図４は、本実施形態に係る機器収納ラック２０の扉部２３を示す図である。図５は、本実施形態に係る機器収納ラック２０を二重床空調方式に適用した形態を示す図である。図６は、パンチングボード２２の通気状態を示す図である。
【００１７】
図４を参照して、本実施形態に係る機器収納ラック２０が第一の実施形態に係る機器収納ラック１と異なる点は、本体上面２４に換気ファン２４ａを備えていること、及び前面のみに扉部２３を設けていることである。さらに、扉部２３の構成が異なることである。すなわち、上述の実施形態のパンチングボード５では、山折り部５ａ、谷折り部５ｂが床面に対して垂直方向に設けられているのに対して、本実施形態のパンチングボード２２では山折り部２２ａ、谷折り部２２ｂが水平方向に設けられている。パンチングボード２２の材質その他の構成については、上述の実施形態と同一である。このように折り曲げ方向を水平にすることにより、以下に説明するように、冷気が床面から供給される二重床空調方式に特に適した機器収納ラックが実現できる。なお、本体内部の構成については第一の実施形態と同一であるので、図示及び説明を省略する。
【００１８】
次に図５を参照して、機器収納ラック２０を二重床空調に用いた例について説明する。情報通信機器室２６には複数の機器収納ラック２０が設置されている。情報通信機器室２６の壁面近傍には冷気を室内に供給するための空調機２５が設置されている。空調機２５は、蒸発器２５ａ、圧縮機（図示せず）、屋外に設置される凝縮器（図示せず）とこれらを結ぶ配管群（図示せず）を主要構成とし、冷凍サイクル駆動により生成した冷気を送風機２５ｂにより室内に供給する。空調機の冷却能力は、圧縮機の回転数を制御することにより調整される。情報通信機器室２６の床は床パネル３３により区画され、二重床空間２７が形成されている。また、天井部は天井板３１により区画され、天井空間２８が形成されている。天井空間２８と空調機２５とは戻り側ダクト２５ｃを介して結ばれている。
【００１９】
以上の構成により、蒸発器２５ａで作られる冷気は送風機２５ｂにより二重床空間２７に送出され、床パネル３３に複数設けられた吹出し口２９から室内に供給される。供給された冷気は、ラック２０の上面２４に具備された換気ファン２４ａによって、扉部２３の通風部２２からラック２０内部へ吸い込まれる。このとき、吸い込まれる冷気流３４の方向は、二重床から扉に向かってやや上向きとなる。図６を参照して、下向きボード面２２ａは冷気流３４の方向となす角度が垂直に近いことから、通風部２２の通気抵抗が小さくなる。ラック２０の内部へ入った冷気は、内部の機器を冷却して暖気となった後、換気ファン２４ａによりラック外に強制排出される。排出された暖気３５はさらに上昇し、吸込口３０を介して天井空間２８に導かれ、さらに戻り側ダクト２５ｃを通過して空調機２５に戻される。その際、戻り暖気は外気３３と混合される。
【００２０】
なお、各実施形態において通風部はステンレス製パンチングボードとしたが、これに限定されるものではなく強度、通風量を確保できれば材質は問わない。
また、各実施形態においてパンチングボードの波型頂部を尖った形状のものを示したが、滑らかに形成してもよい。
また、機器収納ラックの通風部は扉面及び／又は背面に設けた例を示したが、これに限らず側面、上面に設けることとしてもよい。このとき、ボード面が気流の方向と垂直に近くなるように設置することで、通気抵抗が減少し、冷却効果が大きくなる。
また、各実施形態において折り曲げラインが水平又は垂直の例を示したが、これに限らず折り曲げラインを斜めにすることも可能である。これにより外観的なアクセントとすることができ、美観上好ましいものとすることができる。
【００２１】
さらに、表面に高伝熱性塗料を塗布したパンチングボードを用いることも可能である。これにより、換気特性をさらに向上させることができる。
【産業上の利用可能性】
【００２２】
本発明は、分野を問わず発熱性の機器等を収納する収納ラックの換気性を向上させる装置として広く適用可能である。
【図面の簡単な説明】
【００２３】
【図１】本実施形態に係る機器収納ラック１の全体構成を示す図である。
【図２】機器収納ラック１の開扉状態を示す図である。
【図３】図１における扉部３のＡ−Ａ'断面を示す図である。
【図４】第二の実施形態に係る扉部２３を示す図である。
【図５】機器収納ラック２０を二重床空調方式に適用した形態を示す図である。
【図６】パンチングボード２２の通気状態を示す図である。
【符号の説明】
【００２４】
１、２０・・・・機器収納ラック
３、２３・・・・扉部
５、２２・・・・パンチングボード
２４ａ・・・・・換気ファン
８・・・・情報通信機器
１０・・・棚段
２５・・・空調機
２６・・・情報通信機器室
２７・・・二重床空間
２８・・・天井空間
【図１】
2006310382.tif 000003
【図２】
2006310382.tif 000004
【図３】
2006310382.tif 000005
【図４】
2006310382.tif 000006
【図５】
2006310382.tif 000007
【図６】
2006310382.tif 000008